(57)【特許請求の範囲】
【請求項１】
累進変化するコード情報を含んでなる操作信号を送信する送信機と、該送信機からの前記操作信号に基づいて制御信号を出力する受信機とを備えた遠隔操作装置において、
前記送信機は、
前記コード情報を記憶する複数のコード情報記憶手段と、
前記各コード情報記憶手段のうち所定のコード情報記憶手段からコード情報を読み出す読出し手段と、
前記読み出されたコード情報を所定値だけ累進変化させる演算手段と、
前記累進変化されたコード情報を前記各コード情報記憶手段のうち所定のコード情報記憶手段に記憶させる更新手段と、
前記累進変化されたコード情報を含む操作信号を生成する信号生成手段と、
前記生成された操作信号を送信させる送信手段とを含んで構成し、
前記受信機は、
前記送信された操作信号を受信する受信手段と、
前記受信された操作信号を解析し、該操作信号に含まれるコード情報が正規のコード情報であるか否かを判定するコード情報判定手段と、
前記コード情報が正規のコード情報であると判定された場合には、所定の制御信号を出力する制御手段とを含んで構成し、
前記コード情報記憶手段は、前記所定値に対応する数だけ設けられており、
かつ、前記コード情報の累進変化の範囲を略等分して前記各コード情報記憶手段に割り当て、
さらに、該各コード情報記憶手段には、前記略等分して割り当てられた範囲の上限値がそれぞれ予め設定されており、前記累進変化されたコード情報が前記上限値に達するまでは当該コード情報記憶手段を使用し続け、前記累進変化されたコード情報が前記上限値に達した場合は次のコード情報記憶手段に切り換えることを特徴とする遠隔操作装置。
【請求項２】
前記操作信号には、前記コード情報と固有の識別コードとが含まれている請求項１に記載の遠隔操作装置。
【請求項３】
受信機から制御信号を出力させるための操作信号を、前記受信機に送信する遠隔操作用送信機において、
コード情報を記憶する複数のコード情報記憶手段と、
前記各コード情報記憶手段のうち所定のコード情報記憶手段からコード情報を読み出す読出し手段と、
前記読み出されたコード情報を所定値だけ累進変化させる演算手段と、
前記累進変化されたコード情報を前記各コード情報記憶手段のうち所定のコード情報記憶手段に記憶させる更新手段と、
前記累進変化されたコード情報を含む操作信号を生成する信号生成手段と、
前記生成された操作信号を送信させる送信手段とを含んで構成し、
前記コード情報記憶手段は、前記所定値に対応する数だけ設けられており、
かつ、前記コード情報の累進変化の範囲を略等分して前記各コード情報記憶手段に割り当て、
さらに、該各コード情報記憶手段には、前記略等分して割り当てられた範囲の上限値がそれぞれ予め設定されており、前記累進変化されたコード情報が前記上限値に達するまでは当該コード情報記憶手段を使用し続け、前記累進変化されたコード情報が前記上限値に達した場合は次のコード情報記憶手段に切り換えることを特徴とする遠隔操作用送信機。
【発明の詳細な説明】
【０００１】
【発明の属する技術分野】
本発明は、例えば、ドアロックの施解錠やエンジン始動等を遠隔操作することができる遠隔操作装置に関する。
【０００２】
【従来の技術】
例えば、赤外線や電磁波等の信号により遠隔操作でドアロック機構等の被制御物を作動させる遠隔操作装置は、従来より知られている。この種の遠隔操作装置では、ユーザーが携行する送信機と被制御物側に設けられる受信機とに同一の識別コードをそれぞれ記憶させている。受信機は、両識別コードの照合を行ってから、施解錠等を行わせるための制御信号を出力する。ところが、識別コードは固定された情報であるから、例えば、プログラマブルリモートコントローラ等によって送信機からの信号が複製されてしまった場合には、この複製信号によっても受信機を作動させることが可能となる。従って、第三者による不正な操作が行われて、防盗性や信頼性が低下するおそれがある。
【０００３】
そこで、例えば、特許第２５３４０９７号公報等に記載のように、送信機から送信する情報を定期的に変化させることにより、複製された送信情報を無効化して防盗性の向上を図った技術も提案されている。この従来技術では、送信の度に累進するカウント値を送信機からのコード信号に含ませておき、受信機側では、受信したカウント値と前回受信時のカウント値との大小を比較することにより、制御信号を出力する。従って、送信機の信号が複製された場合でも、複製信号中のカウント値は複製時点から変化しないため、受信機側が制御信号を出力するのを防止できる。
【０００４】
ここで、送信機を操作する毎にコード信号を累進変化させるためには、前回のカウント値を送信機内のメモリに記憶させる必要がある。メモリとしては、例えば、EEPROM（Electrically Erasable Programmable ROM）等が用いられる。従来技術のものでは、前回使用したカウント値をメモリの所定領域から読出し、この読み出されたカウント値を累進変化させて最新のカウント値を生成させる。最新のカウント値は、再びメモリの所定領域に書き戻される。
【０００５】
【発明が解決しようとする課題】
ところで、上述した従来技術では、メモリ中の単一の領域にカウント値を記憶させているため、カウント値の読み書きが頻繁に発生すると、カウント値の書込み回数がメモリの書込み耐性を上回るおそれがある。即ち、メモリ中の所定領域のみを頻繁にデータ操作する結果、この特定領域の寿命が他の部分の寿命よりも早期に到来してしまい、送信機全体の寿命を決定する可能性がある。従って、送信回路やCPU等に何の異常がない場合でも、メモリの所定箇所が破損等することにより、送信機が使用不能となる場合があり得る。
【０００６】
本発明は、上記のような種々の課題に鑑みなされたものであり、その目的は、送信機の寿命を向上させることができるようにした遠隔操作装置を提供することにある。
【０００７】
【課題を解決するための手段】
そこで、上記課題を解決すべく、本発明に係る遠隔操作装置は、複数のコード情報記憶装置を適宜切り換えて使用するようにしている。
【０００８】
即ち、本発明は、累進変化するコード情報を含んでなる操作信号を送信する送信機と、該送信機からの前記操作信号に基づいて制御信号を出力する受信機とを備えた遠隔操作装置において、前記送信機は、前記コード情報を記憶する複数のコード情報記憶手段と、前記各コード情報記憶手段のうち所定のコード情報記憶手段からコード情報を読み出す読出し手段と、前記読み出されたコード情報を所定値だけ累進変化させる演算手段と、前記累進変化されたコード情報を前記各コード情報記憶手段のうち所定のコード情報記憶手段に記憶させる更新手段と、前記累進変化されたコード情報を含む操作信号を生成する信号生成手段と、前記生成された操作信号を送信させる送信手段とを含んで構成し、前記受信機は、前記送信された操作信号を受信する受信手段と、前記受信された操作信号を解析し、該操作信号に含まれるコード情報が正規のコード情報であるか否かを判定するコード情報判定手段と、前記コード情報が正規のコード情報であると判定された場合には、所定の制御信号を出力する制御手段とを含んで構成し、前記コード情報記憶手段は、前記所定値に対応する数だけ設けられており、かつ、前記コード情報の累進変化の範囲を略等分して前記各コード情報記憶手段に割り当て、さらに、該各コード情報記憶手段には、前記略等分して割り当てられた範囲の上限値がそれぞれ予め設定されており、前記累進変化されたコード情報が前記上限値に達するまでは当該コード情報記憶手段を使用し続け、前記累進変化されたコード情報が前記上限値に達した場合は次のコード情報記憶手段に切り換えることを特徴としている。
【０００９】
「累進変化」とは、コード情報が増加又は減少する場合の双方を含む。コード情報は、複数のコード情報記憶手段のうち所定のコード情報記憶手段に記憶される。読出し手段によって読み出されたコード情報は、演算手段により所定値だけ累進変化される。そして、累進変化されたコード情報は、所定のコード情報記憶手段に記憶される。受信機は、操作信号を受信して、正規のコード情報が含まれているか否かを判定し、正規のコード情報が含まれている場合には、制御信号を出力させる。「正規のコード情報」とは、例えば、予め設定された条件を満たすコード情報を意味する。具体的には、例えば、前回受信時のコード情報から所定の順序で累進変化している場合等には、正規のコード情報であると判定することができる。このように、複数のコード情報記憶手段を備えるため、各コード情報記憶手段を適宜切り換えて使用することができる。これにより、記憶手段の寿命を向上させて、送信機の寿命低下を防止することができる。
【００１０】
コード情報の累進変化の範囲を略等分して各コード情報記憶手段に割り当てることにより、各コード情報記憶手段を適宜切り換えて使用できる。略等分とは、厳密な意味で累進変化の範囲が等分される必要はないことを意味する。ここで、コード情報がＮ１〜Ｎ１２の範囲で変化し、所定値として１ずつ増加する場合を例に挙げて説明する。もし、コード情報記憶手段を２つ設ける場合は、第１のコード情報記憶手段にＮ１〜Ｎ６までを割り当て、第２のコード情報記憶手段にＮ７〜Ｎ１２までを割り当てることができる。この場合、コード情報がＮ６に達するまでは第１のコード情報記憶手段が使用され、Ｎ７以降は第２のコード情報記憶手段に切り換えられる。但し、この例示のように、累進変化の範囲を連続する複数の範囲（Ｎ１〜Ｎ６，Ｎ７〜Ｎ１２）に等分する必要はない。例えば、奇数のコード情報（N1,N3,N5,...）を第１のコード情報記憶手段に割り当て、偶数のコード情報を第２のコード情報記憶手段に割り当てることもできる。
【００１１】
コード情報記憶手段は、コード情報を累進変化させるときの変化の幅、即ち、所定値に応じて設けることができる。コード情報記憶手段を所定値に対応する数だけ設けることにより、累進変化の範囲に存在する全てのコード情報を無駄なく且つ効率的に使用することができる。
【００１２】
また、操作信号には、コード情報に加えて、固有の識別コードを含めることができる。「固有の識別コード」とは、他の送信機と自機とを区別するために付与される情報を意味する。識別コードは、厳格な意味で固有のものである必要はない。識別コードの桁数等によっては、同一の識別コードが同時に存在する可能性もある。識別コードとコード情報との配置方法には、種々のものを採用することができる。例えば、識別コードの前又は後ろにコード情報を配置してもよいし、識別コードの間にコード情報を織り交ぜてもよい。
【００１３】
【発明の実施の形態】
以下、図１〜図６に基づき本発明の実施の形態について詳述する。
【００１４】
まず、図１は、遠隔操作装置として車両のキーレスエントリー装置に適用した場合の機能ブロック構成図である。なお、図中では、識別コードを「ＩＤ」と表示してある。
【００１５】
ユーザーがリモートキーとして携行する送信機１は、それぞれ後述するように、ＩＤ記憶部２と、操作信号生成部３と、送信部４と、操作スイッチ（「ＳＷ」と略記）５と、複数の記憶エリアＡ１〜Ａ３等とを備えている。
【００１６】
ＩＤ記憶部２は、例えば、EEPROM等のメモリ内に形成されるもので、予め設定された固有の識別コードを記憶している。操作信号生成部３は、カウンタ６と信号生成部７を含んでいる。「演算手段」としてのカウンタ６は、各記憶エリアＡ１〜Ａ３のうち所定の記憶エリアから読み出されたカウンタコード（図中では「Ｃ」と示す場合がある）を所定値だけ増加させる。本実施の形態では、カウンタ６は、カウンタコードを「３」ずつ増加させる。カウンタコードが「コード情報」に該当する。カウンタコードは、例えば、0000h〜FFFFhの範囲で変化する。増加されたカウンタコードは、所定の記憶エリアに書き戻される。
【００１７】
各記憶エリアＡ１〜Ａ３からのカウンタコード読出しは、読出し手段８を介して行われ、各記憶エリアＡ１〜Ａ３へのカウンタコードの書き戻しは更新手段９を介して行われる。
【００１８】
「信号生成手段」としての信号生成部７は、カウンタ６から入力されたカウンタコードとＩＤ記憶部２から読み出された識別コードとに基づいて、所定の操作信号を生成する。また、信号生成部７は、制御コードをも含めて操作信号を生成することもできる。制御コードとしては、例えば、施錠を指示する施錠コード、解錠を指示する解錠コード、エンジン始動を指示するエンジン始動コード等を挙げることができる。生成された操作信号は、「送信手段」としての送信部４を介して後述の受信機１１に送信される。送信部４は、例えば、赤外線や電磁波等を介して操作信号を送信することができる。
【００１９】
操作スイッチ５は、操作信号の送信を指示するためのものである。操作スイッチ５は、単数又は複数設けることができる。例えば、施錠用のスイッチと解錠用のスイッチとを別々に設けることもできるし、単一のスイッチを設けて施錠信号と解錠信号を交互に出力させるように構成することもできる。
【００２０】
「コード情報記憶手段」としての記憶エリアＡ１〜Ａ３は、例えば、EEPROM等のメモリ内にそれぞれ形成されるものである。各記憶エリアＡ１〜Ａ３には、それぞれカウンタコードの担当範囲が設定されている。即ち、第１の記憶エリアＡ１には0002h〜FFFEhまでの範囲が、第２の記憶エリアＡ２には0001h〜FFFDhまでの範囲が、第３の記憶エリアＡ３には0000h〜FFFFhまでの範囲が、それぞれ割り当てられている。
【００２１】
図２は、各記憶エリアＡ１〜Ａ３に割り当てられたカウンタコードの状態を模式的に示す説明図である。カウンタコードは、カウンタ６によって３ずつ増加される。従って、第１の記憶エリアＡ１は、0002h,0005h,0008h,...FFFEhのように、初期値0002hから上限値FFFEhまで３ずつ離れた値を担当する。同様に、第２の記憶エリアＡ２は、0001h,0004h,0007h,...FFFDhのように、初期値0001hから上限値FFFDhまで３ずつ離れた値を担当する。第３の記憶エリアＡ３は、0000h,0003h,0006h,0009h,...FFFFhまで３ずつ離れた値を担当する。
【００２２】
ここで、記憶エリアは、カウンタ６による増加の幅と一致している点に注意しなければならない。これにより、カウンタコードを３ずつ変化させた場合に、カウンタコードの変化範囲0000h〜FFFFh内に存在する全ての値をカウンタコードとして利用することができる。
【００２３】
図１に戻る。受信機１１は、車両側に取り付けられるもので、それぞれ後述するように、受信部１２と、ＩＤ判定部１３と、ＩＤ記憶部１４と、カウント判定部１５と、カウンタメモリ１６と、制御部１７とを備えている。
【００２４】
「受信手段」としての受信部１２は、送信機１から送信された操作信号を受信するものである。ＩＤ判定部１３は、受信部１２から入力された送信機側の識別コードと、ＩＤ記憶部１４に予め記憶された識別コードとを照合し、両識別コードが一致するか否かを判定するものである。
【００２５】
「コード情報判定手段」としてのカウント判定部１５は、受信部１２から入力されたカウンタコードと、カウンタコード記憶部１６に記憶された前回受信時のカウンタコードとを比較し、正規のカウンタコードであるか否かを判定するものである。正規のカウンタコードであるか否かの判定方法には、種々のものを採用することができる。一例を挙げれば、今回受信したカウンタコードが前回受信時のカウンタコードよりも所定の順序（３ずつ変化しているか）で増加しているか否かで判定することができる。より詳しくは、今回受信したカウンタコードと前回受信時のカウンタコードとの差が所定値で割り切れるか否かに基づいて、判定することもできる。
【００２６】
「制御手段」としての制御部１７は、ＩＤ判定部１３によって送信機側の識別コードと受信機側の識別コードとが一致すると判定され、かつ、カウント判定部１５によって正規のカウンタコードを受信したと判定された場合に、所定の制御信号を出力する。所定の制御信号としては、ドアロック機構への施解錠信号を挙げることができる。これに限らず、エンジンコントロールユニットに対してエンジン始動許可信号等を出力することもできる。
【００２７】
次に、図３〜図６に基づいて、本実施の形態の作用を説明する。なお、図中では、ステップを「Ｓ」と略記する。まず、図３は、送信機１により実行される処理を示すフローチャートである。
【００２８】
Ｓ１では、操作スイッチ５が操作されたか否かを監視している。操作スイッチ５が操作されると（S1:YES）、ＩＤ記憶部２から送信機側の識別コードが読み出されると共に（Ｓ２）、各記憶エリアＡ１〜Ａ３のうち所定の記憶エリアから前回の送信時に用いられたカウンタコードが読み出される（Ｓ３）。読み出されたカウンタコードは、３だけ増加される（Ｓ４）。増加されたカウンタコードは、各記憶エリアＡ１〜Ａ３のうち所定の記憶エリアに書き戻される（Ｓ５）。なお、カウンタコードの読出し処理及び書込み処理については後述する。
【００２９】
次に、送信機側の識別コードと増加されたカウンタコードと制御コードを含んでなる操作信号を生成する（Ｓ６）。生成された操作信号は、送信部４を介して受信機１１に送信される（Ｓ７）。
【００３０】
図４は、図３中にＳ３として示されたカウンタコードの読出し処理を示すフローチャートである。本処理では、各記憶エリアＡ１〜Ａ３のうちいずれの記憶エリアからカウンタコードを読み出すかを決定する。
【００３１】
まず、第１の記憶エリアＡ１に格納されたカウンタコードの値（図中「格納値」と示す）が予め設定された上限値（FFFEh）に達したか否かを判定する。上限値に達するまでは（S11:NO）、第１の記憶エリアＡ１に格納されたカウンタコードを読み出してカウンタ６に入力させる（Ｓ１２）。
【００３２】
第１の記憶エリアＡ１に格納されたカウンタコードの値が上限値に達した場合は（S11:YES）、第２の記憶エリアＡ２を検査する。即ち、第２の記憶エリアＡ２に格納されたカウンタコードの値が上限値（FFFDh）に達したか否かを判定し（Ｓ１３）、上限値に達するまで第２の記憶エリアＡ２に格納されたカウンタコードを読み出してカウンタ６に入力させる（Ｓ１４）。
【００３３】
同様に、第２の記憶エリアＡ２が上限値に達した場合は（S13:YES）、第３の記憶エリアＡ３に移り、第３の記憶エリアＡ３に格納されたカウンタコードの値が上限値（FFFFh）に達したか否かを判定する（Ｓ１５）。上限値に達するまで、第３の記憶エリアＡ３が用いられる（Ｓ１６）。
【００３４】
一方、第３の記憶エリアＡ３が上限値に達したときは（S15:YES）、カウンタコードが３ずつ増加しながらFFFFhまで到達し、累進変化の全範囲を一巡した場合である。従って、次のサイクルに移り、第１の記憶エリアＡ１に格納されたカウンタコードを読み出す（Ｓ１７）。
【００３５】
次に、図５は、図３中にＳ５として示されたカウンタコードの書込み処理を示すフローチャートである。本処理では、カウンタ６によって増加されたカウンタコードをいずれの記憶エリアに書き戻すかを決定する。
【００３６】
まず、カウントアップされた最新のカウンタコードの値が第１の記憶エリアＡ１の上限値FFFEhと等しいか否かを判定する（Ｓ２１）。カウンタコードがFFFEhに達した場合は、第１の記憶エリアＡ１及び第２の記憶エリアＡ２の双方に、値FFFEhを格納させる（Ｓ２２）。
【００３７】
Ｓ２１で「ＮＯ」と判定された場合は、カウンタコードの値が第２の記憶エリアＡ２の上限値FFFDhと等しいか否かを判定する（Ｓ２３）。カウンタコードの値がFFFEhに達した場合は、第２の記憶エリアＡ２及び第３の記憶エリアＡ３の双方に、値FFFEhを格納させる（Ｓ２４）。
【００３８】
Ｓ２３でも「ＮＯ」と判定された場合は、カウンタコードの値が第３の記憶エリアＡ３の上限値FFFFhと等しいか否かを判定する（Ｓ２５）。カウンタコードの値がFFFFhと等しい場合は、第３の記憶エリアＡ３及び第１の記憶エリアＡ１の双方に値FFFFhを格納させる（Ｓ２６）。以上のＳ２１〜Ｓ２６までの処理は、記憶エリアを切り換えるためのものである。
【００３９】
次に、第１の記憶エリアＡ１に格納されたカウンタコードの値が上限値FFFEhに達したか否かを判定する（Ｓ２７）。上限値FFFEhに達していない場合は（S27:NO）、増加された最新のカウンタコードを第１の記憶エリアＡ１に書き戻す（Ｓ３２）。第１の記憶エリアＡ１に格納されたカウンタコードの値が上限値に達した場合は（S27:YES）、第２の記憶エリアＡ２に移り、第２の記憶エリアＡ２に格納されたカウンタコードの値が上限値FFFDhに達したか否かを判定する（Ｓ２８）。第２の記憶エリアＡ２が上限値FFFDhに達していない場合は、第２の記憶エリアＡ２に最新のカウンタコードを書き戻す（Ｓ２９）。同様にして、Ｓ２８で「ＹＥＳ」と判定された場合には、第３の記憶エリアＡ３に格納されたカウンタコードの値が上限値FFFFhに達したか否かを判定し（Ｓ３０）、上限値FFFFhに到達するまで、第３の記憶エリアＡ３に最新のカウンタコードを書き戻す（Ｓ３１）。第３の記憶エリアＡ３が上限値に達した場合は（S30:YES）、第１の記憶エリアＡ１に最新のカウンタコードを格納させる（Ｓ３２）。
【００４０】
処理の流れの一部を具体的に説明する。まず、操作スイッチ５が最初に操作されると、Ｓ１１で「ＮＯ」と判定されるため、第１の記憶エリアＡ１から初期値0002hが読み出される（Ｓ１２）。このカウンタコード0002hは、３だけ増加されて0005hとなる。この場合、Ｓ２１，Ｓ２３，Ｓ２５及びＳ２７の全てで「ＮＯ」と判定されるため、最新のカウンタコード0005hは、第１の記憶エリアＡ１に格納される。このようにして、第１の記憶エリアＡ１に格納されるカウンタコードの値は、初期値0002hから３ずつ増加して更新されていく。やがて、カウンタ５によって値FFFEhのカウンタコードが生成されると、Ｓ２１で「ＹＥＳ」と判定されるため、第１の記憶エリアＡ１及び第２の記憶エリアＡ２の双方に、値FFFEhが格納される（Ｓ２２）。この結果、図４中のＳ１１では「ＹＥＳ」と判定され、Ｓ１３では「ＮＯ」と判定されて、カウンタコード読出し用の記憶エリアは、第２の記憶エリアＡ２に切り換えられる（S13:NO）。Ｓ１３で「ＮＯ」と判定されるのは、第２の記憶エリアＡ２にFFFEhが格納されており、第２の記憶エリアＡ２の上限値FFFDhに達していないからである。第２の記憶エリアＡ２から読み出されたカウンタコードFFFEhは、カウンタ６により３だけ増加され、値0001hとなる。値0001hは、第２の記憶エリアＡ２の初期値である。従って、カウンタコードが値0001hから値FFFDHまで３ずつ増加する間、第２の記憶エリアＡ２が用いられる。
【００４１】
図６は、受信機１１側の処理を示すフローチャートである。まず、Ｓ４１では、送信機１からの操作信号を受信したか否かを監視している。操作信号を受信した場合は（S41:YES）、ＩＤ記憶部１４から受信機側の識別コードを読み出すと共に（Ｓ４２）、カウンタコード記憶部１６から前回受信時のカウンタコードを読み出す（Ｓ４３）。
【００４２】
そして、送信機側の識別コードと受信機側の識別コードが一致するか否か（Ｓ４４）及び受信されたカウンタコードが正規のカウンタコードであるか否か（Ｓ４５）をそれぞれ判定する。識別コードが一致し、かつ、正規のカウンタコードである場合は、このカウンタコードをカウンタコード記憶部１６に記憶させると共に（Ｓ４６）、制御信号を出力させる（Ｓ４７）。一方、識別コード又はカウンタコードのいずれか一方でも誤っている場合には、エラー処理が行われる（Ｓ４７）。エラー処理としては、種々のものを採用できる。例えば、所定回数以上エラーが連続した場合には、ブザーを鳴動させることができる。
【００４３】
このように構成される本実施の形態によれば、以下の効果を奏する。
【００４４】
第１に、複数の記憶エリアＡ１〜Ａ３を設けて切り換えながら使用するため、従来のように一カ所のエリアを集中して使用することがなく、EEPROM等のメモリ寿命を大幅に向上させることができる。
【００４５】
第２に、各記憶エリアＡ１〜Ａ３にカウンタコードの変化範囲を略等分に割り当てるため、各記憶エリアＡ１〜Ａ３を略均等に使用することができる。
【００４６】
第３に、カウンタコードの増加単位数に応じて記憶エリアＡ１〜Ａ３を設けるため、0000h〜FFFFｈの範囲内に存在する全ての値をカウンタコードとして利用することができる。
【００４７】
なお、当業者であれば、前記各実施の形態に限らず、本発明から逸脱しない範囲で種々の追加や変更等を行うことが可能である。例えば、カウンタコードの変化範囲を違えることもできるし、増加単位数や記憶エリアの設定数を変更してもよい。また、カウンタコードを増加させるのではなく、所定数ずつ減少させるようにしてもよい。
【００４８】
さらに、本発明は、キーレスエントリー装置に限らず、産業用機械のリモートコントロールシステム、住宅用ドアロックシステム等の種々の装置にも適用することができる。
【００４９】
【発明の効果】
以上説明した通り、本発明に係る遠隔操作装置によれば、複数のコード情報記憶手段を適宜切り換えて使用でき、送信機の寿命を向上できる。
【図面の簡単な説明】
【図１】本発明の実施の形態に係る遠隔操作装置をキーレスエントリー装置に用いた場合のブロック構成図である。
【図２】各記憶エリアに割り当てられるカウンタコードの値を示す説明図である。
【図３】送信機により実行される送信機側処理を示すフローチャートである。
【図４】カウンタコードの読出し処理を示すフローチャートである。
【図５】カウンタコードの書込み処理を示すフローチャートである。
【図６】受信機により実行される受信機側処理を示すフローチャートである。
【符号の説明】
１  送信機
２  ＩＤ記憶部
３  操作信号生成部
４  送信部
５  操作スイッチ
６  カウンタ
７  信号生成部
８  読出し手段
９  更新手段
１１  受信機
１２  受信部
１３  ＩＤ判定部
１５  カウント判定部
１７  制御部
Ａ１〜Ａ３  記憶エリア
【図１】
0003683122.tif 000002
【図２】
0003683122.tif 000003
【図３】
0003683122.tif 000004
【図４】
0003683122.tif 000005
【図５】
0003683122.tif 000006
【図６】
0003683122.tif 000007